(57)【要約】
【課題】  鼻に掛かる負担を大きくすることなく眼鏡のずれ落ちを防止できるとともに、眼鏡を外す際に髪の毛の眼鏡への絡みを抑制することのできる眼鏡取り付け具および眼鏡フレームを提供する。
【解決手段】  可撓性の絡み防止部材４がテンプルの耳当接部３ａが取り付けられた部位２ａより前方にある所定部２ｂと耳当接部３ａの前端部３ｃとを連結するように取り付けられており、眼鏡を外す際に、テンプル２を上方へ持ち上げてもテンプル２と耳当接部３ａの前端部３ｃとの間が絡み防止部材４で塞がれているため、髪の毛がテンプル２と耳当て部材３との取り付け部である揺動部３ｂに入り込みにくく、これに絡まることが抑制される。また、絡み防止部材４は、可撓性を有しているため、上記眼鏡のずれ落ち抑制の機能を阻害することもない。
【選択図】          図１
0003101056.tif 000002
【実用新案登録請求の範囲】
【請求項１】
レンズを保持する前枠と、前記前枠の両端からそれぞれ後方に延出する一対のテンプルとを有する眼鏡フレームに着脱可能な眼鏡取り付け具であって、
前記テンプルの後部に着脱可能なクリップ部と、
軸部材を介して前記クリップ部と揺動可能に取り付けられ、耳の裏側に当接可能な耳当接部と、
一端が前記耳当接部の前端部に連結され、他端が前記テンプルの前記クリップ部が取り付けられた部位より前方にある所定部に着脱可能な可撓性の絡み防止部材とを具備することを特徴とする眼鏡取り付け具。
【請求項２】
前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わることを特徴とする請求項１記載の眼鏡取り付け具。
【請求項３】
請求項１または２記載の眼鏡取り付け具が取り付けられたことを特徴とする眼鏡フレーム。
【請求項４】
レンズを保持する前枠と、
前記前枠の両端からそれぞれ後方に延出する一対のテンプルと、
軸部材を介して前記テンプルの後部と揺動可能に取り付けられ、耳の裏側に当接可能な耳当接部を有する耳当て部材と、
前記テンプルの前記耳当て部材が取り付けられた部位より前方にある所定部と前記耳当接部の前端部とを連結する可撓性の絡み防止部材とを具備することを特徴とする眼鏡フレーム。
【請求項５】
前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わることを特徴とする請求項４記載の眼鏡フレーム。
【考案の詳細な説明】
【技術分野】
【０００１】
本考案は、眼鏡フレームに取り付け可能な眼鏡取り付け具および眼鏡フレームに関し、特に、眼鏡がずれ落ちることを防止する眼鏡取り付け具および眼鏡フレームに関する。
【背景技術】
【０００２】
現在の一般的な眼鏡フレームは、レンズを保持し鼻当てが取り付けられた前枠と、前枠の両端からそれぞれ後方に延出する一対のテンプルとを具備する。テンプルの後部は、下方に折曲することにより耳当て部材として機能し、当該テンプルの後部が耳の裏側（耳と頭部との間）に掛止されることにより眼鏡は装着される。しかし、テンプルの一部（後部）が耳当て部材を構成するため、使用者が種々の動作を行うことにより、テンプルの後部がずれ上がり易く、眼鏡がずれ落ち易い。
【０００３】
このような問題を解決し、眼鏡をずれ落ち難いようにした眼鏡フレームとして、以下の特許文献１のような、テンプルとは別に耳当て部材を有し、当該耳当て部材がテンプルに対して揺動可能に形成されている眼鏡フレームが公知となっている。図６は従来の眼鏡フレームの概略側面図である。図６に示されるように、特許文献１記載の眼鏡フレームによれば、眼鏡を掛けた状態（状態Ａ）で、前枠７１がずれ落ちようとすると、テンプル７２の後部はずれ上がろうとし、耳当て部材７３を上方へ移動させようとする。そして、耳当て部材７３が上方へ移動しようとすると、テンプル７２の耳当て部材取り付け部７２ａの軸７０を中心として耳当て部材７３は反時計回り方向へ回転しようとする。この時、耳当て部材７３の前端部が耳の裏側を押圧する力が大きくなり、その結果、耳当て部材７３と耳の裏側との相対的な移動が阻止され、テンプル１３の後部のずれ上がりが阻止される。このようにして、眼鏡のずれ落ちを防止することができる。
【特許文献１】特開平７−５６１２４号公報
【考案の開示】
【考案が解決しようとする課題】
【０００４】
しかし、上記特許文献１記載の眼鏡フレームには以下のような問題があった。まず、第１に、上記特許文献１記載の眼鏡フレームのような耳当て部材７３が取り付けられた眼鏡フレームは、特殊な眼鏡フレームであり、汎用性がない。特に、現在では、眼鏡フレームはファッションの一部としてアクセサリ的な地位を確立しており、その日の気分に応じて眼鏡フレームを取り替えることも多い。眼鏡フレームのすべてを上記特許文献１記載の眼鏡フレームにすることは、製造コストが上がり、眼鏡フレームの単価をそれぞれ上げることにもなるし、眼鏡フレームのデザインの自由度が制限される場合も考えられる。一方、使用者が複数の眼鏡フレームを所有した場合に、すべての眼鏡フレームを上記眼鏡フレームにすると高価であるし、眼鏡フレームの選択の幅が狭くなってしまうことも考えられる。
【０００５】
また、第２に、使用者が眼鏡を外す際に、テンプル７２を上方へ持ち上げると（図６の状態Ｂ）、テンプル７２と耳当て部材７３の前端部との間にｘ方向から髪の毛が入り込み、テンプル７２と耳当て部材７３との取り付け部７２ａに絡まってしまい、髪の毛を引っ張ってしまうため、使用者を眼鏡を外す度に不快な気分にさせてしまう問題があった。上述のように、耳当て部材７３は、テンプル７２を上方へ持ち上げると、図６において反時計回り方向へ回転しようとし、テンプル７２と耳当て部材７３の前端部とのなす角度が大きくなることもあって髪の毛が入り込み易い。特に、髪の毛の長い使用者にとっては、より顕著であり、眼鏡を掛ける気を喪失させる場合もあった。
【０００６】
本考案は、かかる従来技術の問題点を解決するべくなされたもので、特殊な眼鏡フレームを用いないでも、眼鏡フレームについて鼻に掛かる負担を大きくすることなく眼鏡のずれ落ちを防止できる眼鏡取り付け具および眼鏡フレームを提供することを第１の課題とする。
【０００７】
また、鼻に掛かる負担を大きくすることなく眼鏡のずれ落ちを防止できるとともに、眼鏡を外す際に髪の毛の眼鏡への絡みを抑制することのできる眼鏡取り付け具および眼鏡フレームを提供することを第２の課題とする。
【課題を解決するための手段】
【０００８】
前記第１の課題を解決するべく、本考案に係る眼鏡取り付け具は、レンズを保持する前枠と、前記前枠の両端からそれぞれ後方に延出する一対のテンプルとを有する眼鏡フレームに着脱可能な眼鏡取り付け具であって、前記テンプルの後部に着脱可能なクリップ部と、軸部材を介して前記クリップ部と揺動可能に取り付けられ、耳の裏側に当接可能な耳当接部と（耳の裏側に当接可能な耳当接部と、ピンまたはねじ等の軸部材を備え、当該軸部材を用いて前記クリップ部と前記耳当接部とを揺動可能に取り付ける揺動部と）を具備するものである。
【０００９】
本考案の眼鏡取り付け具においては、クリップ部により、一般的な眼鏡フレームのテンプルの後部に着脱可能に取り付けられる。また、クリップ部と耳当接部とは、ピンまたはねじ等の軸部材を用いて揺動可能に取り付けられる。これにより、眼鏡フレームのテンプルと眼鏡取り付け具の耳当接部とが、揺動可能に取り付けられる。
【００１０】
眼鏡を掛けた状態で、眼鏡フレームの前枠がずれ落ちようとすると、前枠に延出されたテンプルの後部はずれ上がろうとし、テンプルに対して揺動可能に取り付けられた眼鏡取り付け具の耳当接部を上方へ移動させようとする。そして、耳当接部が上方へ移動しようとすると、軸部材を中心として耳当接部は前回り方向へ回転しようとする。この時、耳当接部の前端部が耳の裏側を押圧する力が大きくなり、その結果、耳当接部と耳の裏側との相対的な移動が阻止され、テンプルの後部のずれ上がりが阻止される。このようにして、眼鏡のずれ落ちを防止することができる。
【００１１】
このように、一般の眼鏡フレームのテンプルに着脱可能なクリップ部を有するとともに、当該クリップ部がテンプルに取り付けられた状態でテンプルに対して揺動可能な耳当接部を有することにより、特殊な眼鏡フレームを用いないで、眼鏡フレームについて鼻に掛かる負担を大きくすることなく眼鏡のずれ落ちを防止できる。また、眼鏡フレームを複数所有する場合であっても、様々なデザインの眼鏡フレームに対し、眼鏡取り付け具を着脱することにより、１つ（１対）の眼鏡取り付け具さえあれば、いずれの眼鏡フレームに対しても有効な眼鏡のずれ落ち防止効果を達成することができる。
【００１２】
さらに前記第２の課題を解決するべく、一端が前記耳当接部の前端部に連結され、他端が前記テンプルの前記クリップ部が取り付けられた部位より前方にある所定部に着脱可能な可撓性の絡み防止部材をさらに具備するように構成される。
【００１３】
この場合、可撓性の絡み防止部材が眼鏡フレームのテンプルのクリップ部が取り付けられた部位より前方にある所定部と眼鏡取り付け具の耳当接部の前端部とを連結するように取り付けられており、眼鏡を外す際に、テンプルを上方へ持ち上げてもテンプルと耳当接部の前端部との間が絡み防止部材で塞がれているため、髪の毛がテンプルと耳当接部との取り付け部に入り込みにくく、これに絡まることが抑制される。また、絡み防止部材は、可撓性を有しており、眼鏡取り付け具の耳当接部の揺動を阻害することがないため、上記眼鏡のずれ落ち抑制の機能を阻害することもない。
【００１４】
このように、可撓性の絡み防止部材によって眼鏡フレームのテンプルのクリップ部が取り付けられた部位より前方にある所定部と眼鏡取り付け具の耳当接部の前端部とを連結することにより、鼻に掛かる負担を大きくすることなく眼鏡のずれ落ちを防止できるとともに、眼鏡を外す際に髪の毛の眼鏡への絡みを抑制することができる。
【００１５】
好ましくは、前記絡み防止部材は、弾性部材であって、前記耳当接部の前端部を前記テンプル側へ押し付ける弾性力を作用させる姿勢と、前記耳当接部の前端部を前記テンプルから離間させる弾性力を作用させる姿勢とに切り替わるように構成される。
【００１６】
この場合、絡み防止部材が弾性部材で形成されており、耳当接部の前端部がテンプル側に押し付けられる姿勢と、耳当接部の前端部がテンプルから離間した位置で保持される姿勢とに切り替え可能となる。したがって、耳当接部の前端部がテンプルから離間した位置で保持された状態にすることにより、レンズ（前枠）と絡み防止部材の後端部との距離が広げられた状態となるため、使用者が眼鏡を掛ける際、耳当て部材が邪魔になることなく（耳当て部材を手で押さえておくことなく）容易に装着することができる。そして、耳に当接することによって、絡み防止部材の姿勢が、耳当接部の前端部をテンプル側へ押し付ける弾性力を作用させる姿勢へと切り替わり、耳当接部の後端部がしっかりと耳の裏側に当接可能となる。
【００１７】
このように、絡み防止部材がその弾性力によって耳当接部の姿勢を切り替えることができるため、眼鏡をより容易に装着することができ、かつ、眼鏡のずれ落ちをより効果的に抑制することができる。
【００１８】
また、本考案に係る眼鏡フレームは、上記構成を有する眼鏡取り付け具が取り付けられたものである。
【００１９】
また、本考案に係る眼鏡フレームは、レンズを保持する前枠と、前記前枠の両端からそれぞれ後方に延出する一対のテンプルと、軸部材を介して前記テンプルの後部と揺動可能に取り付けられ、耳の裏側に当接可能な耳当接部を有する耳当て部材と、前記テンプルの前記耳当て部材が取り付けられた部位より前方にある所定部と前記耳当接部の前端部とを連結する可撓性の絡み防止部材とを具備するものである。
【００２０】
本考案に係る眼鏡フレームにおいては、眼鏡を掛けた状態で、前枠がずれ落ちようとすると、前枠に延出されたテンプルの後部はずれ上がろうとし、テンプルの後部に取り付けられた耳当て部材の耳当接部を上方へ移動させようとする。そして、耳当て部材の耳当接部が上方へ移動しようとすると、耳当て部材の耳当接部は軸部材を中心として前回り方向へ回転しようとする。この時、耳当接部の前端部が耳の裏側を押圧する力が大きくなり、その結果、耳当接部と耳の裏側との相対的な移動が阻止され、テンプルの後部のずれ上がりが阻止される。このようにして、眼鏡のずれ落ちを防止することができる。
【００２１】
一方、可撓性の絡み防止部材がテンプルの耳当て部材が取り付けられた部位より前方にある所定部と耳当接部の前端部とを連結するように取り付けられており、眼鏡を外す際に、テンプルを上方へ持ち上げてもテンプルと耳当接部の前端部との間が絡み防止部材で塞がれているため、髪の毛がテンプルと耳当て部材との取り付け部位に入り込みにくく、これに絡まることが抑制される。また、絡み防止部材は、可撓性を有しており、耳当て部材の揺動を阻害することがないため、上記眼鏡のずれ落ち抑制の機能を阻害することもない。
【００２２】
このように、可撓性の絡み防止部材によってテンプルの耳当て部材が取り付けられた部位より前方にある所定部と前記耳当て部材の耳当接部の前端部とを連結することにより、鼻に掛かる負担を大きくすることなく眼鏡のずれ落ちを防止できるとともに、眼鏡を外す際に髪の毛の眼鏡への絡みを抑制することができる。
【考案の効果】
【００２３】
本考案に係る眼鏡フレームおよび眼鏡取り付け具によれば、可撓性の絡み防止部材によってテンプルの耳当て部材取り付け部より前方にある所定部と前記耳当て部材の前端部とを連結することにより、鼻に掛かる負担を大きくすることなく眼鏡のずれ落ちを防止できるとともに、眼鏡を外す際に髪の毛の眼鏡への絡みを抑制することができる。
【考案を実施するための最良の形態】
【００２４】
以下、添付図面を参照しつつ、本考案の実施形態を説明する。
【００２５】
まず、第１実施形態について説明する。図１は本考案の第１実施形態における眼鏡フレームの側面図であり、図２は図１の眼鏡フレームを着用したときの概略図である。
【００２６】
本考案に係る眼鏡フレームは、図１に示すように、レンズ５を保持する前枠１と、前記前枠１の両端からそれぞれ後方に延出する一対のテンプル２と、耳の裏側に当接可能な耳当接部３ａおよび前記テンプル２の後部と前記耳当接部３ａとをピンまたはねじ等の軸部材７を介して揺動可能に取り付けるための揺動部３ｂを有する耳当て部材３と、前記テンプル２の前記耳当て部材３が取り付けられた部位２ａより前方にある所定部２ｂと前記耳当接部３ａの前端部３ｃとを連結する可撓性の絡み防止部材４とを具備するものである。そして、前枠１には、鼻当て用のパッド６が取り付けられ、図２に示すように、当該パッド６を鼻に掛けるとともに、湾曲した耳当て部材３の耳当接部３ａを耳の裏側（耳と頭との間）の湾曲部に掛けることによって、着用するものである。
【００２７】
まず、本実施形態の眼鏡フレームにおける眼鏡のずれ落ち防止の態様について説明する。図３は耳当て部材の揺動を説明するための眼鏡フレームの側面図である。本実施形態の眼鏡フレームにおいては、眼鏡を掛けた状態（図２の状態Ａおよび図３の耳当て部材３において破線部で示される状態）で、前枠１がずれ落ちようとすると、前枠１に延出されたテンプル２の後部はずれ上がろうとし、テンプル２の後部に取り付けられた耳当て部材３の耳当接部３ａを上方へ移動させようとする。そして、耳当て部材３の耳当接部３ａが上方へ移動しようとすると、耳当接部３ａは軸部材７を中心として前回り方向（図３において左回り）へ回転しようとする（図３の耳当接部３ａにおいて実線部で示される状態）。
【００２８】
このとき、耳当接部３ａの前端部３ｃが耳の裏側を押圧する力が大きくなり、その結果、耳当接部３ａと耳の裏側との相対的な移動が阻止され（図３の耳当接部３ａにおいて破線部で示される状態に戻ろうとし）、テンプル２の後部のずれ上がりが阻止される。このようにして、眼鏡のずれ落ちを防止することができる。
【００２９】
また、本実施形態においては、前記耳当接部３ａの長手方向の略中間部に揺動部３が設けられるように構成されている。
【００３０】
また、前記耳当て部材３のテンプル２が取り付けられる部位である揺動部３ｂおよび前記テンプル２の耳当て部材３が取り付けられる部位２ａには、前記揺動部３ｂの揺動範囲を規制する規制機構８が設けられるように構成されるとともに、前記テンプル２と前記耳当て部材３の揺動部３ｂとの取り付けには、ピンまたはねじ等の軸部材７が用いられるように構成される。図４は図１の眼鏡フレームにおけるテンプルと耳当て部材との取り付け部付近の拡大図である。
【００３１】
本実施形態において、規制機構８は、図４に示すように、テンプル２の耳当て部材が取り付けられる部位２ａに設けられた当接面２８に耳当て部材３の揺動部３ｂの支持片３８が当接することにより揺動が規制されている。
【００３２】
このような規制機構８を設けることにより、耳当て部材３の揺動範囲が規制されるため、使用者が眼鏡を掛ける際に、耳の裏側の適所に耳当て部材３の耳当接部３ａを容易に当接させることができ、使用者の眼鏡の着用をより容易にすることができる。
【００３３】
また、軸構造を用いて取り付け部位２ａ，７を構成することにより、力の損失が少なく、スムーズな揺動を容易かつ安価に達成することができる。また、規制機構８を設ける際、軸部材７の軸回りに規制機構８を設けることにより、容易に構成することができる。なお、本実施形態においては、耳当て部材３に取り付けられた揺動部３ｂが軸部材７に揺動可能に取り付けられているが、耳当て部材３自体（耳当接部３ａ）に孔を開けて軸部材７を介して耳当て部材３がテンプル２に対して揺動可能に取り付けてもよい。
【００３４】
本実施形態において、テンプル２の前記耳当て部材３が取り付けられた部位２ａは、当該テンプル２の後端部であるように構成される。
【００３５】
この場合、眼鏡フレームのテンプル２と耳当て部材３とが一体ではない構造を有しているにも関わらず、従来からある眼鏡フレームの形状に近づけることができ、従来から一般的な形状の眼鏡フレームを用いてきた使用者であっても違和感なく着用することができる。
【００３６】
次に、本実施形態の眼鏡フレームにおける眼鏡に対する髪の毛の絡み防止の態様について図２を用いて説明する。図２に示すように、可撓性の絡み防止部材４がテンプル２の耳当て部材３が取り付けられた部位２ａより前方にある所定部２ｂと耳当て部材３の耳当接部３ａの前端部３ｃとを連結するように取り付けられている。眼鏡を外す際に、テンプル２を上方へ持ち上げた場合（図２の状態Ｂ）であっても、テンプル２と耳当接部３ａの前端部３ｃとの間が絡み防止部材４で塞がれているため、髪の毛がｘ方向からテンプル２と耳当接部３ａとの取り付け部分（揺動部３ｂ）に入り込みにくく、これに絡まることが抑制される。また、絡み防止部材４は、可撓性を有しているため、上記眼鏡のずれ落ち抑制の機能を阻害することもない。
【００３７】
以上のように、可撓性の絡み防止部材４によってテンプル２の耳当て部材３が取り付けられた部位２ａより前方にある所定部２ｂと前記耳当接部３ａの前端部３ｃとを連結することにより、鼻に掛かる負担を大きくすることなく眼鏡のずれ落ちを防止できるとともに、眼鏡を外す際に髪の毛の眼鏡への絡みを抑制することができる。
【００３８】
本実施形態において、図２および図３に示すように、前記絡み防止部材４は、エラストマ等の弾性部材であって、前記耳当接部３ａの前端部３ｃを前記テンプル２側へ押し付ける弾性力ｆAを作用させる姿勢（状態Ａ）と、前記耳当接部３ａの前端部３ｃを前記テンプル２から離間させる弾性力ｆBを作用させる姿勢（状態Ｂ）とに切り替わるように構成される。
【００３９】
絡み防止部材４がエラストマ等の弾性部材で形成されており、所定位置を切り替え点として当該切り替え点より耳当接部３ａの前端部３ｃがテンプルに近い側では、図３に示す弾性力ｆAが作用し、状態Ａのように耳当接部３ａの前端部３ｃがテンプル２側に押し付けられた位置で保持される。一方、切り替え点より耳当接部３ａの前端部３ｃがテンプル２から離間した位置にあると、絡み防止部材４がたわむことによって、弾性力の作用する方向が反転し、図３に示す弾性力ｆBが作用して、状態Ｂのように耳当接部３ａの前端部３ｃがテンプル２から離間した位置で保持される。
【００４０】
したがって、耳当接部３ａの前端部３ｃがテンプル２から離間した位置で保持された状態Ｂにすることにより、レンズ５（前枠１）と絡み防止部材４の後端部との距離ＬBが状態Ｂにおける距離ＬAと比べて、広げられた状態となるため、使用者が眼鏡を掛ける際、耳当て部材３が邪魔になることなく（耳当て部材３を手で押さえておくことなく）容易に装着することができる。そして、耳に当接することによって（耳当接部３ａの後端部を耳の裏側で押すことによって）、絡み防止部材４の姿勢が、耳当接部３ａの前端部３ｃをテンプル２側へ押し付ける弾性力ｆAを作用させる姿勢（状態Ａ）へと切り替わり、耳当接部３ａの後端部がしっかりと耳の裏側に当接可能となる。
【００４１】
このように、絡み防止部材４がその弾性力によって耳当接部３ａの姿勢を切り替えることができるため、眼鏡をより容易に装着することができ、かつ、眼鏡のずれ落ちをより効果的に抑制することができる。
【００４２】
なお、絡み防止部材４は、絡み防止部材４に用いられた弾性部材の弾性係数、厚み、長さの組み合わせを好適に選択することにより、弾性力の方向を好適に切り替えることができる。
【００４３】
また、絡み防止部材４は、弾性力を有する部材であれば、例えば、エラストマ（天然ゴム、合成ゴム等の弾性を有する高分子物質）や形状記憶合金等で形成された板ばね等、種々の弾性部材が採用可能である。また、弾性力の方向を耳当て部材３の揺動可能な方向に略平行にする（軸部材７の軸方向にぶれないようにする）ために前記軸方向に長い断面形状であることが好ましい。当該断面形状は、楕円形状、半円形状、板状等、種々適用可能である。中空でも無垢でもよく、繊維状に編み込んで形成されてもよい。
【００４４】
本実施形態においては、前記絡み防止部材４として弾性部材を用いたが、絡み防止を達成するための素材（弾性力の切り替えを要しない場合）としては、ナイロン樹脂等、可撓性を有する材料であればいずれの材料でもよい（もちろん弾性部材でもよい）。絡み防止部材４がナイロン樹脂等で形成されることにより、強靭かつ柔軟で安価に構成することができる。また、一体（無垢でもよいし中空でもよい）に形成されてもよいし、繊維状に編み込んで形成されてもよい。また、弾性力の切り替えを要しない場合は、絡み防止部材４が取り付けられるテンプル２の所定部２ｂがテンプル２の所定箇所に固定されているものとしてもよいし、テンプル２に沿って摺動可能に取り付けられているものとしてもよい。
【００４５】
続いて、本考案の第２実施形態について説明する。図５は本考案の第２実施形態における眼鏡取り付け具およびそれを装着した眼鏡フレームの側面図である。図５（ａ）は眼鏡取り付け具を示す図であり、図５（ｂ）は眼鏡取り付け具を一般的な眼鏡フレームに取り付けたときを示す図である。
【００４６】
本考案に係る眼鏡取り付け具３０は、図５に示すように、レンズを保持する前枠１と、前記前枠１の両端からそれぞれ後方に延出する一対のテンプル２０とを有する眼鏡フレームに着脱可能な眼鏡取り付け具３０であって、前記テンプル２０の後部２０ａに着脱可能なクリップ部３０ｄと、耳の裏側に当接可能な耳当接部３０ａと、前記クリップ部３０ｄと前記耳当接部３０ａとをピンまたはねじ等の軸部材７を介して揺動可能に取り付けるための揺動部３０ｂとを具備するものである。
【００４７】
本実施形態の眼鏡取り付け具３０においては、クリップ部３０ｄにより、一般的な眼鏡フレームのテンプルの後部２０ａに着脱可能に取り付けられる。また、クリップ部３０ｄと耳当接部３０ａとは、揺動部３０ｂにより、ピンまたはねじ等の軸部材７を用いて揺動可能に取り付けられる。これにより、眼鏡フレームのテンプル２０と眼鏡取り付け具３０の耳当接部３０ａとは、揺動可能に取り付けられる。
【００４８】
ここで、本実施形態の眼鏡取り付け具３０におけるクリップ部３０ｄは、ゴムや樹脂等の可撓性部材で形成されており、図５（ａ）に示されるように、略管状体、つまり横断面がテンプル２０の断面形状と略相似形状とする略管状体に形成して構成され、その内径は、そこに嵌着されるテンプル２０の外径よりわずかに小さく設定される。さらに、クリップ部３０ｄには、その管状体の直径より幅の狭い開口部がその管状体の長さ方向に沿って形成され、テンプル２０は管状体の開口部から嵌入することにより嵌着される。
【００４９】
また、テンプル２０が後方へなるにつれて分厚くなるような形状である一般的な眼鏡フレームの多くに取り付ける場合は、クリップ部３０ｄの内径に所定の余裕を持たせてもクリップ部３０ｄがテンプル２０の後端から抜け落ちることを防止することができる。なお、クリップ部３０ｄの形状、材質等は、上記や添付図面に限られるものではなく、本考案の趣旨を逸脱しない範囲での変更が可能である。
【００５０】
本実施形態の眼鏡取り付け具３０が取り付けられた眼鏡フレーム（図５（ｂ））のずれ落ち防止の態様については、第１実施形態の眼鏡フレームと同様であるので説明を省略する。
【００５１】
このように、一般の眼鏡フレームのテンプル２０に着脱可能なクリップ部３０ｄを有するとともに、当該クリップ部３０ｄがテンプル２０に取り付けられた状態でテンプル２０に対して揺動可能な耳当接部３０ａを有することにより、特殊な眼鏡フレームを用いないで、眼鏡フレームについて鼻に掛かる負担を大きくすることなく眼鏡のずれ落ちを防止できる。また、眼鏡フレームを複数所有する場合であっても、様々なデザインの眼鏡フレームに対し、眼鏡取り付け具３０を着脱することにより、１つ（１対）の眼鏡取り付け具さえあれば、いずれの眼鏡フレームに対しても有効な眼鏡のずれ落ち防止効果を達成することができる。
【００５２】
なお、耳当接部３０ａに揺動部３０ｂが取り付けられる位置や揺動部３０ｂの規制機構等、種々の態様も第１実施形態と同様に適用可能である。
【００５３】
また、本実施形態においては、図５に示すように、一端が前記耳当接部３０ａの前端部３０ｃに連結され、他端が前記テンプル２０のクリップ部３０ｂが取り付けられた部位２０ａより前方にある所定部２０ｂに着脱可能な可撓性の絡み防止部材４をさらに具備するように構成される。
【００５４】
この場合、可撓性の絡み防止部材４が眼鏡フレームのテンプル２０のクリップ部３０ｄが取り付けられた部位２０ａより前方にある所定部２０ｂと眼鏡取り付け具３０の耳当接部３０ａの前端部３０ｃとを連結するように取り付けられており、眼鏡を外す際に、テンプル２０を上方へ持ち上げてもテンプル２０と耳当接部３０ａの前端部３０ｃとの間が絡み防止部材４で塞がれているため、髪の毛がテンプル２０と耳当接部３０ａとの取り付け部（揺動部３０ｂ）に入り込みにくく、これに絡まることが抑制される。また、絡み防止部材４は、可撓性を有しており、眼鏡取り付け具２０の耳当接部３０ａの揺動を阻害することがないため、上記眼鏡のずれ落ち抑制の機能を阻害することもない。
【００５５】
このように、可撓性の絡み防止部材４によって眼鏡フレームのテンプル２０のクリップ部３０ｄが取り付けられた部位２０ａより前方にある所定部２０ｂと眼鏡取り付け具３０の耳当接部３０ａの前端部３０ｃとを連結することにより、鼻に掛かる負担を大きくすることなく眼鏡のずれ落ちを防止できるとともに、眼鏡を外す際に髪の毛の眼鏡への絡みを抑制することができる。
【００５６】
ここで、本実施形態における絡み防止部材４についてもエラストマやナイロン樹脂等で形成されるように構成される。この場合、絡み防止部材４がエラストマやナイロン樹脂等で形成されることにより、強靭かつ柔軟でさらに安価に構成することができる。なお、絡み防止部材４は、可撓性を有する材料であればいずれの材料でもよく、また、一体（無垢でもよいし中空でもよい）に形成されてもよいし、繊維状に編み込んで形成されてもよい。
【００５７】
また、本実施形態における絡み防止部材４の他端をテンプル２０に着脱可能に取り付けるための構成として、図５（ａ）に示すような、前述のクリップ部３０ｄと同様のエラストマや樹脂等の可撓性部材で形成されたクリップ部４ａを用いている。
【００５８】
本実施形態においても、第１実施形態と同様に、絡み防止部材４のクリップ部４ａが取り付けられるテンプル２０の所定部２０ｂは、テンプル２０の所定箇所にクリップ部４ａが摺動することなく固定されているものとしてもよいし、テンプル２０に沿って摺動可能に取り付けられているものとしてもよい。クリップ部４ａが摺動することなく固定されている場合は、第１実施形態と同様に、前記絡み防止部材４が、エラストマ等の弾性部材であって、前記耳当接部３ａの前端部３ｃを前記テンプル２側へ押し付ける弾性力ｆAを作用させる姿勢（状態Ａ）と、前記耳当接部３ａの前端部３ｃを前記テンプル２から離間させる弾性力ｆBを作用させる姿勢（状態Ｂ）とに切り替わるように構成されることとしてもよい。
【００５９】
また、本実施形態においては、絡み防止部材４のテンプル２０への取り付け態様として可撓性部材によるクリップ部４ａを用いたが、絡み防止部材４のテンプル２０が取り付けられる他端にテンプル２０が貫通可能な穴を設け、この穴にテンプル２０を貫通させることにより、取り付けることとしてもよい。この場合において、穴の径は、テンプル２０の所定部２０ｂよりわずかに小さく設定されてもよい。テンプル２０の後端の外径が大きく穴に入らない場合は、前枠１とテンプル２０とを一度分解して絡み防止部材４の穴にテンプル２０を貫通させた後、再び前枠１とテンプル２０とを組み立てることとしてもよい。
【図面の簡単な説明】
【００６０】
【図１】本考案の第１実施形態における眼鏡フレームの側面図である。
【図２】図１の眼鏡フレームを着用したときの概略図である。
【図３】耳当て部材の揺動を説明するための眼鏡フレームの側面図である。
【図４】図１の眼鏡フレームにおけるテンプルと耳当て部材との取り付け部付近の拡大図である。
【図５】本考案の第２実施形態における眼鏡取り付け具およびそれを装着した眼鏡フレームの側面図である。
【図６】従来の眼鏡フレームの概略側面図である。
【符号の説明】
【００６１】
１…前枠  ２，２０…テンプル  ３…耳当て部材  ４…絡み防止部材  ５…レンズ  ７…軸部材  ８…規制機構  ３０…眼鏡取り付け具
２ａ…耳当て部材が取り付けられた部位  ２０ａ…眼鏡取り付け具が取り付けられた部位  ２ｂ，２０ｂ…絡み防止部材が取り付けられた部位（テンプルの所定部）  ３ａ，３０ａ…耳当接部  ３ｃ，３０ｃ…耳当接部の前端部  ４ａ，３０ｄ…クリップ部
【図１】
0003101056.tif 000003
【図２】
0003101056.tif 000004
【図４】
0003101056.tif 000005
【図５】
0003101056.tif 000006
【図６】
0003101056.tif 000007
【図３】
0003101056.tif 000008